(57)【要約】【課題】本発明は、従来のアスファルト舗装あるいはコンクリート舗装を実施しても十分透水性の得られるアスファルト舗装の提案である。【解決手段】本発明は、上下に貫通孔を有する凸部もしくは容易に貫通可能な凸部と当該凸部を繋ぐ梁部と左右に敷き設可能な連結部からなる土木用資材であって、当該土木用資材を敷き設し、土木用資材の上からコンクリートあるいはアスファルトなどを打設し舗装面とし、前記凸部に設けた貫通孔を舗装面上に露出させることによって、前記舗装面上に開口する貫通孔を介し舗装面に降った雨水等を舗装面下に貯留もしくは流出させる舗装である。【選択図】図1
2006132302.tif 000002
【特許請求の範囲】
【請求項１】
上下に貫通孔を有する凸部もしくは容易に貫通可能な凸部と当該凸部をつなぐ梁部と、左右に連結可能とする連結部からなる土木用資材を敷き設し、前記土木用資材の上からコンクリート、アスファルト、流動し敷き設することで固化し舗装部を形成するものを打設あるいはブロック、タイルなどを敷き設し、前記凸部に設けた貫通孔を露出させることを特徴とする貫通孔を有する透水性舗装。
【請求項２】
上下に貫通孔を有する凸部もしくは容易に貫通可能な凸部と当該凸部をつなぐ梁部と、左右に連結可能とする連結部からなる土木用資材であって、梁部間あるいは凸部間に前記凸部の頂点を越えない位置に張り出し部を有したことを特徴とする新規な土木用資材。
【請求項３】
請求項2記載の土木用資材を敷き設し、コンクリート、アスファルト、流動し敷き設することで固化し舗装面を形成するものを打設あるいはブロック、タイルなどを敷き設して舗装部を形成し、前記凸部に設けた貫通孔を露出させたことを特徴とする貫通孔を有する透水性舗装。
【請求項４】
請求項１または３記載の貫通孔を有する透水性舗装を施した上にさらに骨材と骨材間を結合するバインダーを混合してなる透水性舗装部を形成したことを特徴とする透水性舗装。
【請求項５】
上下に貫通孔を有する凸部もしくは容易に貫通可能な凸部と当該凸部を繋ぐ梁部と、左右に敷き設可能な連結部を有する土木用資材であって、前記土木用資材の梁部には設置面に対し開口する溝が設けられており、当該溝は前記土木資材の凸部貫通孔および連結部まで貫通しており、当該土木用資材を敷き設し、土木用資材の上からコンクリート、アスファルト、流動し敷き設することで固化し舗装部を形成するものを打設あるいはブロック、タイルなどを敷き設し舗装部を形成し、前記凸部に設けた貫通孔を舗装面上に露出させることによって、前記舗装面上に開口する貫通孔と溝部が連通し舗装面に降った雨水等を舗装面下に貯留もしくは流出させることを特徴とする透水性舗装。
【請求項６】
請求項１、２または５に記載の土木用資材を敷き設し、前記土木用資材の凸部間および凸部間をつなぐ梁部で形成される空間に配管を施し、コンクリート、アスファルト、流動し敷き設することで固化し舗装部を形成するものを打設あるいはブロック、タイルなどを敷き設し、配管内に地下水などを流し舗装面を加熱可能としたことを特徴とする透水性舗装。
【請求項７】
請求項１、２または５に記載の土木用資材を敷き設し、前記土木用資材の凸部間および凸部間をつなぐ梁部で形成される空間に透水性表面を有する配管を施し、保水性あるいは透水性を有するコンクリート、アスファルト、流動し敷き設することで固化し舗装部を形成するものを打設あるいはブロック、タイルなどを敷き設し舗装部を形成し、配管内に水を流すことで舗装部に水分を含有させたことを特徴とする透水性舗装。
【発明の詳細な説明】
【技術分野】
【０００１】
本発明は、土木用資材とそれを用いた透水性舗装技術に属する。
【背景技術】
【０００２】
近年、都市空間がコンクリートやアスファルト等で形成された結果、都市部の気温が郊外より高くなるヒートアイランド現象が顕著になっている。
その抑制手段として、歩道、自転車道、広場などにおいて舗装材として透水性を有するアスファルト舗装がなされている。
特開H07-252434には、アスファルト成分を少なくし、骨材同士を点接着させ、間隙を設けてその間を水が透過するように構成したものが開示されている。しかしながらこの方法では、骨材自体が点部分で接着固定されているため、重量車輌が頻繁に通過する道路では骨材が離反しタイヤなどによって飛散する。結果としてその部分が凹部となることが多い。また一旦凹部となると、その縁部の飛散が一層加速されることとなる。このため、頻繁に道路を補修しなければならなくなる。
【０００３】
さらに、透水性アスファルトの骨材と骨材の間隙が大きいため、そこにごみなどが詰まり、それによって透水性がなくなることも問題になっている。このため、定期的にバキュームカーなどによってごみを吸引除去しているが、これも手間と費用の掛かる作業である。また、これによっても完全に復帰することはなく、徐々に目詰まりしていくことには変わらない。
【０００４】
このような欠陥を改良するため、0.1〜0.5ｍｍ程度の骨材に樹脂を混合させた物を界面活性剤と共にアスファルト表面に塗布し骨材の飛散の防止を図る方法が提案されている。その他バインダーを用いる例として特開2003-171557にはアスファルトとエポキシ樹脂を溶剤に溶かした非加熱型改質アスファルトを用いる方法、特開2002-308953にはアクリル系シラップ組成物を用いる方法、特開2002-121388には熱可塑性エラストマーと中密度ポリエチレンを添加したアスファルト、特開2001-234503にはエポキシ樹脂を用いる方法が開示されている。
【０００５】
【特許文献１】特開H07-252434
【特許文献２】特開2003-171557
【特許文献３】特開2002-308953
【特許文献４】特開2002-121388
【特許文献５】特開2001-234503
【発明の開示】
【発明が解決しようとする課題】
【０００６】
本発明は、従来のアスファルト舗装あるいはコンクリート舗装を実施しても十分透水性の得られる透水性舗装の提案である。
【課題を解決するための手段】
【０００７】
本第1の発明は、上下に貫通孔を有する凸部もしくは容易に貫通可能な凸部と当該凸部をつなぐ梁部と、左右に連結可能とする連結部からなる土木用資材を敷き設し、前記土木用資材の上からコンクリート、アスファルト、流動し敷き設することで固化し舗装部を形成するものを打設あるいはブロック、タイルなどを敷き設し、前記凸部に設けた貫通孔を露出させることを特徴とする貫通孔を有する透水性舗装である。
舗装面である路盤上に上下に貫通孔を有する凸部である筒状部を配列し、その筒状部間に前記貫通孔を露出するように舗装ことで、あるいは貫通孔を露出させることで舗装面から路盤まで貫通する透水孔を設けるものである。上記連結部は筒状部が作業中に倒れたりしないように支える役目および前記凸部の配列を決めるなどの役目を果たしている。
本第2の発明は、上下に貫通孔を有する凸部もしくは容易に貫通可能な凸部と当該凸部をつなぐ梁部と、左右に連結可能とする連結部からなる土木用資材であって、梁部間あるいは凸部間に前記凸部の頂点を越えない位置に張り出し部を有したことを特徴とする新規な土木用資材である。舗装部が土木用資材から剥離しないように張り出し部を設けている。
本第3の発明は、本第2の発明記載の土木用資材を敷き設し、コンクリート、アスファルト、流動し敷き設することで固化し舗装面を形成するものを打設あるいはブロック、タイルなどを敷き設して舗装部を形成し、前記凸部に設けた貫通孔を露出させたことを特徴とする貫通孔を有する透水性舗装である。
本第4の発明は、本第１の発明または第３の発明記載の貫通孔を有する透水性舗装を施した上にさらに骨材と骨材間を結合するバインダーを混合してなる透水性舗装部を形成したことを特徴とする透水性舗装である。上部透水性舗装部にも雨水を蓄積するようにしている。
本第5の発明は、上下に貫通孔を有する凸部もしくは容易に貫通可能な凸部と当該凸部を繋ぐ梁部と、左右に敷き設可能な連結部を有する土木用資材であって、前記土木用資材の梁部には設置面に対し開口する溝が設けられており、当該溝は前記土木資材の凸部貫通孔および連結部まで貫通しており、当該土木用資材を敷き設し、土木用資材の上からコンクリート、アスファルト、流動し敷き設することで固化し舗装部を形成するものを打設あるいはブロック、タイルなどを敷き設し舗装部を形成し、前記凸部に設けた貫通孔を舗装面上に露出させることによって、前記舗装面上に開口する貫通孔と溝部が連通し舗装面に降った雨水等を舗装面下に貯留もしくは流出させることを特徴とする透水性舗装である。
上下に貫通孔を有する凸部もしくは容易に貫通可能な凸部と当該凸部を繋ぐ梁部からなる土木用資材を敷き設し、舗装を施すことにより舗装面上に開口部を設けた。舗装面上に降った雨水を舗装面下に広がるようにするため、梁部に溝を設け前記貫通孔と連通させた。
本第6の発明は、本第1の発明、第２または第５の発明に記載の土木用資材を敷き設し、前記土木用資材の凸部間および凸部間をつなぐ梁部で形成される空間に配管を施し、コンクリート、アスファルト、流動し敷き設することで固化し舗装部を形成するものを打設あるいはブロック、タイルなどを敷き設し、配管内に地下水などを流し舗装面を加熱可能としたことを特徴とする透水性舗装である。
冬季舗装面の凍結あるいは積雪を溶かすことができるよう地下水あるいは温排水を流せるようにした。
本第７の発明は、本第１の発明、第２または第５の発明に記載の土木用資材を敷き設し、前記土木用資材の凸部間および凸部間をつなぐ梁部で形成される空間に透水性表面を有する配管を施し、保水性あるいは透水性を有するコンクリート、アスファルト、流動し敷き設することで固化し舗装部を形成するものを打設あるいはブロック、タイルなどを敷き設し舗装部を形成し、配管内に水を流すことで舗装部に水分を含有させたことを特徴とする透水性舗装である。
夏季、降雨のないときでもヒートアイランド現象を緩和させるため舗装部に水分を含有させるようにした。
【発明の効果】
【０００８】
本発明は、上下に貫通孔を有する複数の凸部が配列する土木用資材を敷き設し、その凸部の間にアスファルトあるいはコンクリートなどを打設することで、舗装面に小さな孔を基盤面まで貫通させる舗装方法である。そのため、舗装面に降った雨水はその貫通孔から地下に浸透する。
また、凸部あるいは連結部間に張り出し部を設けたため打設したアスファルトあるいはコンクリートなどが張り出し部下にまで流れ込み固化する。そのため、打設したアスファルトあるいはコンクリートなどが土木用資材から前記張り出し部に妨げられ剥がれることがない。
本発明は、凸部には上下に貫通する貫通孔を設け、凸部を繋ぐ梁部には下方に向かって開口する溝を設け凸部に設けた貫通孔と連通させたため、舗装面に設けられる開口部から基盤面にいたる縦横に繋がる水路が形成される。
そのため上記いずれの発明も以下の効果がある。
１．雨水が路面にたまらない。
２．雨水が基盤上に貯留されるため路面の温度上昇が軽減される。
３．雨水が地下に浸透するため地下水の涵養となる。
さらに舗装部内に配管を設けたため、冬季は配管内に地下水あるいは温排水を循環させ融雪あるいは路面の氷結防止に役立てることができる。
さらに舗装部を透水性あるいは保水性の舗装とし、配管の表面に細孔を設け水が舗装部に滲み出るようにしたため、夏場のヒートアイランド現象は含有する水分の気化熱によって緩和する。
【発明を実施するための最良の形態】
【０００９】
以下本発明を図により詳細に説明する。
図1は、本発明に使用する土木用資材の概念図である。本土木用資材は梁部により格子状に枠組みされ、その格子の交点部を凸部とし、凸部には上下に貫通する貫通孔が設けられている。また本土木用資材を左右に連結できるよう、相接する2辺にはオス継ぎ手、他の相接する２辺にはメス継ぎ手が設けられている。
本部材を左右に連結すると貫通孔を有する凸部が図2に示すように規則的に配列する。そこに図3の断面図が示すように、コンクリート、アスファルト、流動し敷き設することで固化し舗装面を形成するものを打設あるいはブロック、タイルなどを敷き設し、舗装面を貫通孔の頂部が露出した状態とすれば、貫通孔が規則的に分布したアスファルト舗装あるいはコンクリート舗装などが実現する。
【００１０】
また土木用資材の凸部の貫通孔が容易に貫通できるよう薄い皮膜で覆われているような場合は、コンクリ-あるいはアスファルトを打設した後、研磨、上から尖った棒などで破るあるいは加熱で熔解などの手段により貫通させることもできる。
【００１１】
図４〜図７は新規な土木用資材の例を示す概念図である。
図４に示す土木用資材は、格子状に枠組みされた格子の交点部を戴円錐形の凸部とし、凸部には上下に貫通する貫通孔が設けられている。各格子面には張り出し部として弓状の梁が十字形に設けられている。この梁は本土木用資材を上記に説明したと同様に配列し、凸部の貫通孔を塞がない程度にコンクリート、アスファルト、流動し敷き設することで固化し舗装面を形成する舗装を施したときに、これら舗装材が上記梁部の下に充填され固化するとき梁部に絡まり本土木用資材から剥離しないようにするものである。図5に示す土木用資材は格子面に張り出し部として傘状となった凸部が設けられた例である。
【００１２】
図６に示す土木用資材は、上記凸部の形状が柱状とされ、突部に設けられた貫通孔の形状が十字となっているものである。
また、図７に示す土木用資材は格子部が６角形とされその交点部に設けられた凸部の形状もそれに合わせY状とされたものである。
凸部に設けた孔は、基本的には雨水の流入孔として機能するが、路面が凍結した際には車の走行によって破砕された氷が落下する効果も期待できる。
本土木用資材は貫通孔を有する凸部が連結されていればよいので格子部の形状が矩形、六角形、円形などであっても差し支えがない。また凸部の形状、分布についても、貫通孔を有する舗装を行う際、要求される舗装部の強度など考慮して適宜変更が可能である。また、格子面内に張り出し部が設けられているが、格子面をまたいで設けられても何らさしつかえがない。また、左右に敷き設可能であればよいので、互に継ぎ手を用いて連結する必要はなく、密着して敷き設できるものであればよい。
舗装部の強度を高めるため、凸部間で格子面上に鉄筋を渡すこともできる。
【００１３】
舗装部はコンクリート、アスファルト、モルタル、骨材と樹脂の混合物、土壌とセメントあるいは石灰などを混合し流動性を有し、打設後固化するものなら舗装部の要求される機能に応じて使い分けすることができる。また、レンガ、ブロック、タイルなど敷き設することで舗装と同等の機能を有するものが使用することもできる。
【００１４】
また図8に示すように、本貫通孔を有する舗装の上部に骨材とバインダーの混合物を敷き設することで透水性の舗装を施すこともできる。こうすることで上部の透水性舗装部は雨水の一時貯留部となり、下層の貫通孔を有する舗装部の表面を流れ徐々に貫通孔部に達し地下に浸透する。一時貯留された雨水の一部は透水性舗装の表面から蒸発し、気化熱によりヒートアイランド現象の緩和に役立つ。透水性舗装は、一般に骨材をアスファルトあるいは樹脂からなるバインダーで結合して得る舗装方法によって可能である。あるいはレンガ、ブロックタイルなど隙間を生じ隙間から浸透するような舗装方法であってもなんら差し支えない。この方法は特にコンクリート舗装上に玉石などからなる化粧用の舗装を施すのに好適である。もちろん、本化粧用舗装をするに当たり下層の貫通孔を追加の貫通孔を載せることで上方まで伸ばすあるいは下層の貫通孔部分を２分し下層をコンクリートによる舗装上方を化粧用の舗装とすることでもよい。
【００１５】
図9に示す土木用資材は、図1に示した土木用資材の梁部の基盤に接する下面に溝を設け、その溝を凸部貫通孔および連結部まで連通させたものである。
図９の円で囲んだ部分の拡大図である図１０及び本土木資材を裏面から見た図１１に示すように凸部間を繋ぐ梁部には、凸部から継ぎ手に向かう設置面に開口する溝が設けられている。
図１２は、本土木用資材を用いた舗装の断面図である。本部材の凸部が規則的に配列し、凸部間を繋ぐ梁部には溝が設けられ、貫通孔と溝が連通している本部材を連結し所定の舗装を施せば貫通孔が舗装面に規則的に配列し、梁部に設けた溝部を介し連通し、舗装面下に雨水の流通する溝が縦横に走る。
【００１６】
図１３は、上記透水性舗装に対し、舗装部内に配管を通したものを示している。
本配管中に地下水あるいは温排水を循環させることで、冬季の融雪あるいは路面の凍結を防止することができる。
また、舗装部を透水性あるいは保水性の繊維などを混合させた保水性舗装とし、表面に細孔を設けた配管を通せば、透水性あるいは保水性舗装部内に水分が含有され夏場含有される水分の気化熱によりヒートアイランド現象の緩和に役立つ。
舗装部内に限らず本土木用資材の梁部に設けた溝部を利用し配管あるいは配線することも可能である。
【００１７】
本舗装は既存のコンクリートあるいはアスファルト舗装面上に設けても流れ込んだ雨水は貫通孔および溝部に貯留されもしくは舗装面端部から浸透もしくは流出する。
【００１８】
本貫通孔を有する舗装は、路盤上に直接施工することも可能であるが、好ましくは路盤上に砕石層などからなる下部透水層を設けることによって、路面上の雨水が下部透水層を経て流出されるようにすると、その効果はより大きなものとなる。また砕石層を透水性シートにて挟むことで下部透水層の保持を図ることも適宜実施することができる。
【００１９】
図示した本土木用資材はいずれも格子目に当たる部分は、透孔として示されているが、格子部分に底を設け透水性あるいは保水性舗装を施したときに雨水が貯留されるようにしておいてもよい。透水性舗装の場合にあっては格子を形成する梁部と前記底によって区画された容器状部に貯留される。過剰の水は梁部を超え流出する。
【００２０】
本土木資材の形状、凸部の形状及び開口部の大きさ並びに形状、凸部の高さなど舗装面を歩道、サイクリング道路、車道など路面の使用状況に応じて変更が可能である。また、開口部の形状、大きさ、並び方を変更および／または開口部を網目状あるいは区画することで滑り止め、雨水の流入速度を変えたりあるいは騒音の吸収効果も期待できる。
【００２１】
本土木用資材の材質は、金属、コンクリート製あるいは樹脂製品が使用できる。要求される品質に応じてそれら材質を変えることができる。特に樹脂製品の場合、本貫通孔を有する透水性舗装の補修回収の際には、樹脂とコンクリートあるいはアスファルトなどとの剥離が容易で再利用しやすくなる。
【図面の簡単な説明】
【００２２】
【図１】本発明の貫通孔を有する舗装に用いる土木用資材の概念図である。
【図２】上記土木用資材を配列した状態を示す概念図である。
【図３】上記土木用資材を用いた貫通孔を有する舗装の断面を示す概念図である。
【図４】本発明に使用する土木用資材の第１の例を示す概念図である。
【図５】本発明に使用する土木用資材の第２の例を示す概念図である。
【図６】本発明に使用する土木用資材の第３の例を示す概念図である。
【図７】本発明に使用する土木用資材の第４の例を示す概念図である。
【図８】本発明の貫通孔を有する舗装の上面に透水性舗装を施した例の断面を示す概念図である。
【図９】本発明に使用する土木用資材の第５の例を示す概念図である。
【図１０】図９の丸で囲んだ部分の拡大図である。
【図１１】図９に示す土木用資材の裏面を示す概念図である。
【図１２】図９に示す本土木用資材を用いた舗装の断面を示す。
【図１３】舗装部に配管を通した状態の断面を示す。
【符号の説明】
【００２３】
１  土木用資材
２  凸部
３  貫通孔
４  梁部
５  溝部
６  張り出し部
７  舗装部
８  配管
９  下部透水層
10  路盤
11  透水性舗装
【図１】
2006132302.tif 000003
【図２】
2006132302.tif 000004
【図３】
2006132302.tif 000005
【図４】
2006132302.tif 000006
【図５】
2006132302.tif 000007
【図６】
2006132302.tif 000008
【図７】
2006132302.tif 000009
【図８】
2006132302.tif 000010
【図９】
2006132302.tif 000011
【図１０】
2006132302.tif 000012
【図１１】
2006132302.tif 000013
【図１２】
2006132302.tif 000014
【図１３】
2006132302.tif 000015